(57)【特許請求の範囲】
【請求項１】
リードイン領域及びリードアウト領域間に定められ、論理セクタの境界で区分されている少なくとも１つ以上のタイトル・セット領域から構成されるデータ記録領域を有する光ディスクにおいて、前記タイトル・セット領域は、タイトル・セットを構成するビデオ、オーディオ及び副映像データがそれぞれに格納されているビデオ、オーディオ及び副映像パックが連続して記録されている再生対象の領域及びこのビデオ、オーディオ及び副映像データの再生を制御するタイトル・セット情報が記録されたタイトル・セット情報領域を有し、
前記タイトル・セット情報は、当該タイトル・セットのビデオ、オーディオ及び副映像データを適切に再生するためにビデオ属性情報、オーディオ属性情報及び副映像属性情報を含み、
前記ビデオ属性情報は、前記ビデオデータの圧縮モードに関する情報としてＭＰＥＧ１かＭＰＥＧ２かを示す情報を含み、さらにまた、前記ビデオデータのフレーム・レート及び表示アスペクト比に関する情報、表示モードに関する情報であって表示状態に制限を与えるためにレターボックス禁止又は許可情報を含み、
前記オーディオ属性情報は、前記オーディオ・データのオーディオ・コーディング・モードに関する情報としてＡＣ３かリニアＰＣＭかＭＰＥＧ１かを示す情報を含み、前記副映像属性情報は、前記副映像データの副映像コーディング・モードに関する情報としてランレングスを示す情報を含む光ディスクからデータを再生する再生装置において、
前記タイトル・セットのタイトル・セット情報から前記ビデオ、オーディオ及び副映像属性情報を取得する取得手段と、
前記オーディオ及び副映像・パックをデコードするオーディオ及び副映像デコーダと、
前記ビデオパックをデコードするビデオデコーダと、
デコードされたビデオデータを属性情報から得たフレーム・レート及び表示アスペクト比に従って処理するとともに、前記属性情報に含まれている表示モードに関する情報に含まれるレターボックス禁止又は許可情報に応じて表示状態が制限を受けるビデオ再生処理手段と、
を具備することを特徴とする再生装置。
【請求項２】
リードイン領域及びリードアウト領域間に定められ、論理セクタの境界で区分されている少なくとも１つ以上のタイトル・セット領域から構成されるデータ記録領域を有する光ディスクにおいて、前記タイトル・セット領域は、タイトル・セットを構成するビデオ、オーディオ及び副映像データがそれぞれに格納されているビデオ、オーディオ及び副映像パックが連続して記録されている再生対象の領域及びこのビデオ、オーディオ及び副映像データの再生を制御するタイトル・セット情報が記録されたタイトル・セット情報領域を有し、
前記タイトル・セット情報は、当該タイトル・セットのビデオ、オーディオ及び副映像データを適切に再生するビデオ属性情報、オーディオ属性情報及び副映像属性情報を含み、
前記ビデオ属性情報は、前記ビデオデータの圧縮モードに関する情報としてＭＰＥＧ１かＭＰＥＧ２かを示す情報を含み、さらにまた、前記ビデオデータのフレーム・レート及び表示アスペクト比に関する情報、表示モードに関する情報であって表示状態に制限を与えるためにレターボックス禁止又は許可情報を含み、
前記オーディオ属性情報は、前記オーディオ・データのオーディオ・コーディング・モードに関する情報としてＡＣ３かリニアＰＣＭかＭＰＥＧ１かを示す情報を含み、
前記副映像属性情報は、前記副映像データの副映像コーディング・モードに関する情報としてランレングスを示す情報を含むことを特徴とする光ディスク。
【請求項３】
請求項２記載の光ディスクに情報を記録する記録装置。
【発明の詳細な説明】
【０００１】
【産業上の利用分野】
この発明は、光ディスクからデータを再生する再生装置と光ディスクと記録装置に関する。
【０００２】
【従来の技術】
従来、家庭用のテレビの画面は、その縦横のサイズ比が３：４となっていた。したがって、このテレビで表示される画像（ビデオデータ）もこの画面サイズに対応したものであった。
【０００３】
しかし、近年、映像ソフトとしてのビデオデータの多様化と高画質化により、たとえば映画館で上映される映画のスクリーンのように横に長い画面をできる限りそのまま表示したいという考えからハイビジョンテレビでは、その縦横の画面サイズが９：１６に設定し、従来より迫力のある映画館での表示状態により近い形での画面表示を可能としている。
【０００４】
しかし、ハイビジョン放送は、従来の映像表示方式とフォーマットが異るためにハイビジョン放送を従来のテレビで表示させるためには専用のデータコンバータが必要であることやハイビジョンフォーマットの国外との統一の遅れ等の理由でその普及がはかばかしくない状態にある。
【０００５】
そこで、近年はハイビジョン放送は表示できないが、その画面サイズが９：１６で従来の３：４のテレビ放送を９：１６の画面サイズに拡張して表示する機能を持ったテレビが急速に普及されつつある。
【０００６】
また、レーザディスクやＶＴＲなどの映像および音声記録再生装置においては、そこに記録されている映像の画面サイズはテレビサイズ（３：４）のほかにシネマサイズ（９：１６）などの様々なサイズのソフトが混在している。これらをテレビで再生する場合、レーザディスクプレーヤやビデオカセットレコーダなどの再生装置にはその画面サイズを切換える手段はなく、テレビモニタ側の表示画面切換え機能により切り換えられるようになっている。
【０００７】
しかし、このような処理は画質の点から不利であり、現在の映像用のソフトウエアやハードウエアのクオリティを最大限に利用するならば、３：４のテレビモニタで表示する場合には縦長の画像（スクイーズ画面）となるような映像を記録媒体に記録しておき、これをそのまま９：１６の画面比に拡張して９：１６のテレビモニタ（横長テレビ）で表示させることにより見るようにするのが良い。
【０００８】
しかしこのような、スクイーズ画面を９：１６のテレビモニタで見る場合には良いが、従来の３：４サイズのテレビモニタで見る場合には、画面が縦長に歪んで再生されるので、都合が悪いという欠点があった。
【０００９】
そこで、記録媒体に記録されたスクイーズ画面を、従来の３：４サイズのテレビモニタで見る場合に、縦横の画面比に歪みの発生しないレターボックス画面またはパンスキャン画面に変換して再生する機能を有し、それらの中から好みの映像モードをユーザが自由に選択できるものが要望されている。
【００１０】
【発明が解決しようとする課題】
この発明は上記したように、記録媒体に記録されたスクイーズ画面を、従来の３：４サイズのテレビモニタで見る場合に、縦横の画面比に歪みの発生しないレターボックス画面またはパンスキャン画面に変換して再生する機能を有し、それらの中から好みの表示モードをユーザが自由に選択できるものが要望されているもので、記録媒体に記録されたスクイーズ画面を、従来の３：４サイズのテレビモニタで見る場合に、縦横の画面比に歪みの発生しないレターボックス画面またはパンスキャン画面に変換して再生する機能を有し、それらの中から好みの表示モードをユーザが自由に選択でき、さらに、作成者の意図を反映して表示モードを制限した状態で、表示モードの切換えを行うことができる再生装置とその再生方法を提供することを目的とする。
【００１１】
【課題を解決するための手段】
この発明は、リードイン領域及びリードアウト領域間に定められ、論理セクタの境界で区分されている少なくとも１つ以上のタイトル・セット領域から構成されるデータ記録領域を有する光ディスクにおいて、前記タイトル・セット領域は、タイトル・セットを構成するビデオ、オーディオ及び副映像データがそれぞれに格納されているビデオ、オーディオ及び副映像パックが連続して記録されている再生対象の領域及びこのビデオ、オーディオ及び副映像データの再生を制御するタイトル・セット情報が記録されたタイトル・セット情報領域を有し、前記タイトル・セット情報は、当該タイトル・セットのビデオ、オーディオ及び副映像データを適切に再生するためにビデオ属性情報、オーディオ属性情報及び副映像属性情報を含み、前記ビデオ属性情報は、前記ビデオデータの圧縮モードに関する情報としてＭＰＥＧ１かＭＰＥＧ２かを示す情報を含み、さらにまた、前記ビデオデータのフレーム・レート及び表示アスペクト比に関する情報、表示モードに関する情報であって表示状態に制限を与えるためにレターボックス禁止又は許可情報を含み、前記オーディオ属性情報は、前記オーディオ・データのオーディオ・コーディング・モードに関する情報としてＡＣ３かリニアＰＣＭかＭＰＥＧ１かを示す情報を含み、前記副映像属性情報は、前記副映像データの副映像コーディング・モードに関する情報としてランレングスを示す情報を含む光ディスクを基本とし、そのデータを再生する再生装置においては、前記タイトル・セットのタイトル・セット情報から前記ビデオ、オーディオ及び副映像属性情報を取得する取得手段と、前記オーディオ及び副映像・パックをデコードするオーディオ及び副映像デコーダと、前記ビデオパックをデコードするビデオデコーダと、デコードされたビデオデータを属性情報から得たフレーム・レート及び表示アスペクト比に従って処理するとともに、前記属性情報に含まれている表示モードに関する情報に含まれるレターボックス禁止又は許可情報に応じて表示状態が制限を受けるビデオ再生処理手段とを具備する。
【００１５】
【作用】
この発明は、リードイン領域及びリードアウト領域間に定められ、論理セクタの境界で区分されている少なくとも１つ以上のタイトル・セット領域から構成されるデータ記録領域を有する光ディスクにおいて、前記タイトル・セット領域は、タイトル・セットを構成するビデオ、オーディオ及び副映像データがそれぞれに格納されているビデオ、オーディオ及び副映像パックが連続して記録されている再生対象の領域及びこのビデオ、オーディオ及び副映像データの再生を制御するタイトル・セット情報が記録されたタイトル・セット情報領域を有し、このタイトル・セット情報は、当該タイトル・セットのビデオ、オーディオ及び副映像データを適切に再生するビデオ属性情報、オーディオ属性情報及び副映像属性情報を含み、前記ビデオ属性情報は、前記ビデオデータの圧縮モードに関する情報としてＭＰＥＧ１かＭＰＥＧ２かを示す情報を含み、前記オーディオ属性情報は、前記オーディオ・データのオーディオ・コーディング・モードに関する情報としてＡＣ３かリニアＰＣＭかＭＰＥＧ１かを示す情報を含み、前記副映像属性情報は、前記副映像データの副映像コーディング・モードに関する情報としてランレングスを示す情報を含む光ディスクからデータを再生するものにおいて、前記ビデオ、オーディオ及び副映像・パックをデコードするビデオ、オーディオ及び副映像デコーダを有し、前記再生データの再生前に、前記タイトル・セットのタイトル・セット情報から前記ビデオ、オーディオ及び副映像属性情報を取得し、この取得した前記ビデオ、オーディオ及び副映像属性情報に従ってそのタイトル・セットのビデオ・オーディオ及び副映像データを適切に再生させるために前記ビデオ、オーディオ及び副映像デコーダを設定するようにしたものである。
【００１６】
【実施例】
以下、図面を参照してこの発明の実施例に係る光ディスク再生装置を説明する。
【００１７】
図１は、この発明の一実施例に係る光ディスクからデータを再生する光ディス再生装置のブロックを示し、図２は、図１に示された光ディスクをドライブするディスクドライブ部のブロックを示し、図３は、図１及び図２に示した光ディスクの構造を示している。
【００１８】
図１に示す光ディスク再生装置においては、ユーザが本体のフロントパネルのキー操作部及び表示部４、あるいは本体と赤外線による光通信により接続されている遠隔操作装置としてのリモートコントロール５を操作することによって光ディスク１０から記録データ、即ち、映像データ、副映像データ及び音声データが再生され、装置内でオーディオ（音声）信号及びビデオ信号に変換されて装置外のモニタ部６及びスピーカー部８で映像及び音声として再現される。
【００１９】
上記キー操作部及び表示部４は、図４に示すように、電源キー４ａ、マイクの入力端子４ｂ、再生キー４ｃ、一時停止キー４ｄ、停止キー４ｅ、早送り後戻りキー４ｆ、光ディスク１０の取り込み取り外しを指示するオープン／クローズキー４ｇ、表示器４ｈ、光ディスク１０の挿入、取出口４ｉ等により構成されている。
【００２０】
上記リモートコントロール５は、図５に示すように、電源キー５ａ、数字キー５ｂ、停止キー５ｃ、再生キー５ｄ、一時停止キー５ｅ、メモリキー５ｆ、光ディスク１０の取り込み取り外しを指示するオープン／クローズキー５ｇ、早送り後戻りキー５ｈ、５ｉ、リピートの指示と範囲を指示するリピートキー５ｊ、メニュー画面の表示を指示するメニューキー５ｋ、メニュー画面表示時の各項目ごとのメニュー画面の表示を指示するｉキー５ｌ、メニュー画面表示時の項目を選択する際に用いる上下キー５ｍ、および画像表示モードの切換えを指示するシェィプキー５ｎ等により構成されている。
【００２１】
既に知られるように光ディスク１０は、種々の構造があるが、図３に示すように、例えば、透明基盤１４上に記録層、即ち、光反射層１６が形成された構造体１８が一対用意され、この一対の構造体１８が記録層１６がその内部に封じ込まれるように接着層２０を介して張り合わされる高記録密度のタイプが出現している。このような構造の光ディスク１０では、その中心にスピンドルモータ１２のスピンドルが挿入される中心孔２２が設けられ、その中心孔２２の周囲には、この光ディスク１０をその回転時に押さえる為のクランピング領域２４が設けられている。
【００２２】
このクランピング領域２４から光ディスク１０の外周端までが光ディスク１０に情報を記録することができる情報記録領域２５に定められている。図３に示す光ディスクでは、その両面に情報記録領域２５を有することとなる。各情報記録領域２５は、その外周領域が通常は情報が記録されないリードアウト領域２６に、また、クランピング領域２４に接するその内周領域が同様に、通常は情報が記録されないリードイン領域２７に定められ、更に、このリードアウト領域２６とリードイン領域２７の間がデータ記録領域２８に定められている。情報記録領域２５の記録層１６には、通常、データが記録される領域としてトラックがスパイラル状に連続して形成され、その連続するトラックは、複数のセクタに分割され、このセクタを基準にデータが記録されている。情報記録領域２５のデータ記録領域２８は、実際のデータ記録領域であって、後に説明するように管理データ、主画像データ、副画像データ及び音声データが同様にピット等の物理的状態変化として記録されている。読み出し専用の光ディスク１０では、透明基板１４にピット列が予めスタンパーで形成され、このピット列が形成された透明基板１４の面に反射層が蒸着により形成され、その反射層が記録層１４として形成されることとなる。また、この読み出し専用の光ディスク１０では、通常、トラックとしてのグルーブが特に設けられず、ピット列がトラックとして定められている。
【００２３】
このような光ディスク１０からデータを再生する光ディスク再生装置においては、光ディスク１０をドライブするディスクドライブ部３０で光ディスク１０が光ビームで検索される。即ち、図２に示すように、光ディスク１０は、モータ駆動回路１１によって駆動されるスピンドルモータ１２上に載置され、このスピンドルモータ１２によって回転されている。光ディスク１０の下方には、この光ディスク１０に光ビーム、即ち、レーザビームを集光する光ヘッド、即ち、光ピックアップ３２が設けられている。この光ヘッド３２は、情報記録領域２５、特に、データ記録領域２８を検索する為にその光ディスク１０の半径方向に移動可能にガイド機構（図示せず。）に載置され、駆動回路３７からの駆動信号によって駆動されるフィードモータ３３で光ディスク１０の半径方向に移動される。光ディスク１０には、対物レンズ３４がその光軸に沿って移動可能に保持され、フォ―カス駆動回路３６からの駆動信号に応答してその光軸方向に移動され、常にフォ―カス状態に対物レンズ３４が維持され、微小ビームスポットが記録層１６上に形成される。また、この対物レンズ３４は、光ディスク１０の半径方向に沿って微動可能に保持され、トラック駆動回路３８からの駆動信号に応答して微動され、常にトラッキング状態に維持されて光ディスク１０の記録層１６上のトラックが光ビームで追跡される。
【００２４】
光ヘッド３２では、光ディスク１０から反射された光ビームが検出され、検出されたこの検出信号は、光ヘッド３２からヘッドアンプ４０を介してサーボ処理回路４４に供給されている。サーボ処理回路４４では、検出信号からフォ―カス信号、トラッキング信号及びモータ制御信号を生成し、これらの信号を夫々駆動回路３６、３８、１１に供給している。従って、対物レンズ３４がフォ―カス状態及びトラッキング状態に維持され、また、スピンドルモータ１２が所定の回転数で回転され、光ビームによって記録層１６上のトラックが光ビームで、例えば、線速一定で追跡される。システムＣＰＵ部５０からアクセス信号としての制御信号がサーボ処理回路４４に供給されると、サーボ処理回路４４から移動信号が駆動回路３７に供給され、光ヘッド３２が光ディスク１０の半径方向に沿って移動され、記録層１６の所定のセクタがアクセスされ、再生データがヘッドアンプ４０で増幅されてディスクドライブ部３０から出力される。出力された再生データは、システム用ＲＯＭ及びＲＡＭ部５２に記録のプログラムで制御されるシステムＣＰＵ部５０及びシステムプロセッサ部５４を介してデータＲＡＭ部５６に格納される。この格納された再生データは、システムプロセッサ部５４によって処理されてビデオデータ、オーディオデータ及び副映像データに分類され、ビデオデータ、オーディオデータ及び副映像データは、夫々ビデオデコーダ部５８、オーディオデコーダ部６０及び副映像デコーダ部６２に出力されてデコードされる。デコードされたビデオデータ、オーディオデータ及び副映像データは、Ｄ／Ａ及び再生処理回路６４でアナログ信号としてのビデオ信号、オーディオ信号及び副映像信号に変換されるとともにミキシング処理されてビデオ信号及び副映像信号がモニタ６に、また、オーディオ信号がスピーカ８に夫々供給される。その結果、モニタ部６に映像が表示されるとともにスピーカ部８から音声が再現される。図１に示す光ディスク装置の詳細な動作については、次に説明する光ディスク１０の論理フォーマットとともに後により詳細に説明する。
【００２５】
図２に示される光ディスク１０のリードインエリア２７からリードアウトエリア２６までのデータ記録領域２８は、論理フォーマットとしてＩＳＯ９６６０に準拠した図６に示されるようなボリューム構造を有している。このボリューム構造は、階層構造のボリューム管理情報領域７０及びファイル領域８０から構成されている。ボリューム管理情報領域７０は、ＩＳＯ９６６０に準拠して定められた論理ブロック番号０から２３までが相当し、システム領域７２及びボリューム管理エリア７４が割り付けられている。システム領域７２は、通常は空き領域として内容は規定されていないが、たとえば光ディスク１０に記録するデータを編集する編集者の為に設けられ、編集者の意図に応じた光ディスク装置の駆動を実現する為のシステムプログラムが必要に応じて格納される。また、ボリューム管理領域７４には、ファイル領域８０のディスク情報ファイル７６（以下、単にディスク情報ファイル７６と称する。）、ムービファイル或いはミュージックファイル等のファイル７８を管理するボリューム管理情報、即ち、全のファイルの記録位置、記録容量及びファイル名等が格納されている。ファイル領域８０には、論理ブロック番号２４以降の論理ブロック番号で指定されるファイル番号０からファイル番号９９までのファイル７６、７８が配置され、ファイル番号０のファイル７６がディスク情報ファイル７６として割り付けられ、ファイル番号１からファイル番号９９までのファイル７８がムービファイル、即ち、映像ファイル、又はミュージックファイルとして割り付けられている。
【００２６】
ディスク情報ファイル７６は、図７に示されるようにファイル管理情報エリア８２及びメニュー映像データエリア８４から構成され、ファイル管理情報エリア８２には、光ディスク１０の全体に記録されている選択可能なシーケンス、即ち、ビデオ又はオーディオのタイトルを選択するためのファイル管理情報が記述されている。また、メニュー映像データエリア８４には、タイトル等の選択メニューを表示する為のメニュー画面の画像データがセル単位のメニューデータセル９０として格納されている。即ち、メニュー映像用データエリア８４のメニュー映像データは、後に詳述するように、目的に応じて必要な大きさの単位に区切られ、ディスク１０のメニュー映像データエリア８４への記録順に＃１から連続して番号が割り付けられたｉ個のメニューセル９０として定められている。このメニューセル９０には、ムービ或いはオーディオのタイトル選択、各タイトルのプログラム選択等に関する映像データ、副映像データ、或いは、オーディオデータが格納されている。
【００２７】
図７に示されるようにファイル管理情報エリア８２は、ディスク構成情報（ＤＳＩＮＦ: Disc Structure Information）を格納するディスク構成情報エリア８６、メニュー構成情報（ＭＳＩＮＦ: Menu Structure Information）を格納するメニュー構成情報エリア８７、セル情報を格納するセル情報テーブル（ＭＣＩＴ: Menu Cell Information Table ）８８の３種類の情報領域があり、この順序で配列されている。
【００２８】
ディスク構成情報エリア８６には、主にディスク１０のファイル領域８０に記録されているムービファイル及びミュージックファイル、即ち、再生ファイル７８の数（パラメータＤＳＩＮＦとして１から９９の範囲内で記述される。）、個々のファイル７８内に存在するシーケンス（ビデオ、オーディオ及び副映像等を含む映像データの一連のデータ群を称し、後に詳述する。また、以下、単にシーケンスと称する。）の数、即ち、タイトルの数（パラメータＦＳＩＮＦとして記述される。）等の情報が記述される。
【００２９】
メニュー構成情報エリア８７には、このディスク情報ファイル７６内に記録されているメニュー映像用データエリア８４のメニューセル９０の数（パラメータＮＯＭＣＥＬとして記述される。）、ディスク内に存在するタイトルを選択するための一連のメニュー映像用データを構成するタイトルメニューセル９０の開始セル番号（パラメータＴＭＳＣＥＬとして記述される。）等の情報が記述されている。
【００３０】
メニューセル情報テーブル８８には、各メニューセル９０の再生に必要なセル情報がセル番号順に記述されたｉ個のセル情報エリア８９の集合に規定されている。このセル情報テーブル８８には、ファイル７６内のセル９０の位置（パラメータＭＣＳＬＢＮとしてファイル先頭からのオフセット論理ブロック番号で記述される。）、サイズ（パラメータＭＣＮＬＢとして論理ブロック数で記述される。）等の情報が記述されている。ここで、ディスク構成情報（ＤＳＩＮＦ）及びメニュー構成情報（ＭＳＩＮＦ）は、ファイル管理情報エリア８２に連続して記述され、メニューセル情報テーブル（ＭＣＩＴ）８８は、論理ブロックの境界にアライメントされている。
【００３１】
１又は複数タイトルのミュージックデータ或いはムービデータがファイル番号１からファイル番号９９までに相当するムービファイル及びミュージックファイル７８に格納されている。このファイル７８は、夫々図８に示すように当該ファイル７８に含まれるデータに対する諸元情報、即ち、管理情報（例えば、アドレス情報及び再生制御情報等）が記述されているファイル管理情報エリア１０１及び当該ファイル７８の映像データ（ビデオ、オーディオ及び副映像データ等を単に映像データと称する。）が記述されている映像用データエリア１０２から構成されるファイル構造を有している。映像用データエリア１０２には、ディスク情報ファイル７６のメニューセル９０と同様に映像データがセル単位に分割され、映像データがｊ個の映像用データセル１０５として配列されている。
【００３２】
通常、あるタイトルのムービデータ或いはオーディオデータは、連続するシーケンス１０６の集合として表される。例えば、映画のストーリーは、「起」、「承」、「転」及び「結」に相当するような連続するシーケンス１０６で表現される。従って、各ファイル７８の映像用データエリア１０２は、図９に示すようにシーケンス１０６の集合として定義される。また、各シーケンス１０６は、ストーリの種々の場面に相当する複数の映像プログラム（チャプター）１０７で表され、各映像プログラム１０７が複数の映像用データセル１０５で構成されている。各映像セル１０５は、図１０に示されるように制御パック（ＤＳＩ）９２、主映像パック９３、副映像パック９５及びオーディオパック９８を組み合わせた１画像グループ（ＧＯＰ:  Group of Picture ）が複数グループ配列されて構成されている。この映像セル１０５の構成は、メニューセル９０と略同様であって、この映像用データ１０２は、ＭＰＥＧ規格(Moving Picture Expert Group) 等の圧縮規格に従って圧縮された動画（ムービ）、音声（オーディオ）及び副映像等のデータがＭＰＥＧ２のシステムレーヤに対応したデータフォーマットで記録されている。即ち、映像用データ１０２は、ＭＰＥＧ規格で規定されるプログラムストリーマとなっている。更に、各パック９２、９３、９５、９８は、パックヘッダ９７及びパックに対応するパケット９９から構成されるパック構造を有している。
【００３３】
ファイル管理情報エリア１０１は、ファイル管理テーブル（ＦＭＴ:  File Management Table）１１３、シーケンス情報テーブル（ＳＩＴ:  Sequence Information Table ）１１４、セル情報テーブル（ＣＩＴ:  Cell Information Table ）１１５等から構成される。
【００３４】
映像用データエリア１０２の映像用データセルは、ディスクへの記録順に＃１から連続して番号が振り分けられ、このセル番号及びこのセル番号に関連させてセルに関する情報がセル情報テーブル１１５に記述されている。即ち、セル情報テーブル１１５には、映像用データセルの再生に必要な情報をセル番号順に記述したｊ個のセル情報（ＣＩ）が格納されるエリア１１７の集合に定められ、このセル情報（ＣＩ）には、ファイル７８内のセルの位置、サイズ、再生時間等の情報が記述されている。
【００３５】
図１１には、このセル情報テーブル１１５に格納されるセル情報（ＣＩ）の内容が示されている。このセル情報領域１１７に記述されるセル情報（ＣＩ）は、映像データを目的に応じた単位で分割した映像セルの開始位置及びサイズ等の内容がパラメータで記述される。即ち、このセル情報（ＣＩ）は、映像セルがムービ、カラオケ及びインタラクティブメニューのいずれであるか等の映像セルの内容を示すセル種別情報（ＣＣＡＴ）、映像セルのトータル再生時間を示すセル再生情報（ＣＴＩＭＥ）、セルの開始パックに記述されているＳＣＲ（システム時刻基準参照値）の上位３２ビットを記述する（ＣＳＳＣＲ）、映像セルの開始位置、即ち開始アドレス（ファイル先頭からのオフセット論理ブロック番号）を示すセル開始位置情報（ＣＳＬＢＮ）及び映像セルを構成するサイズ（論理ブロック数）を示したセルサイズ情報（ＣＮＬＢ）等から構成されている。ＣＴＩＭＥにはセル種別がインタラクティブメニューの場合０が記述される。
【００３６】
シーケンス情報テーブル１１４は、シーケンス１０６毎に指定された範囲内のセル１０５を選択して再生する順序等を記述したｉ個のシーケンス情報（ＳＩ）が格納されるエリア１１６の集合に定められ、各シーケンス情報（ＳＩ）には、そのシーケンス１０６内に記録されている映像セル１０５の再生順序及び再生に関する再生制御情報が記述されている。このシーケンス１０６には、１シーケンスで完結する完結型シーケンス、１シーケンス毎に次のシーケンスに分岐接続される接続型シーケンスがあり、接続型シーケンスには、マルチストーリに相当するビデオデータの先頭シーケンスであって、このシーケンスから分岐して次のシーケンスに接続されることが可能な接続型先頭シーケンス、即ち、ストーリがその選択の仕方で変化する接続型先頭シーケンス、他の接続型シーケンスから分岐されて更に他のシーケンスに接続される接続型中間シーケンス、及び他の接続型シーケンスから接続され、そのシーケンスを終了する接続型終了シーケンス、即ち、このシーケンスでストーリが終了する接続型終了シーケンスがある。このシーケンス情報の番号は、シーケンス番号１からｉと定義され、各々の開始位置情報は、ファイル管理情報テーブル１１３に書き込まれている。
【００３７】
図１２には、図８に示されたファイル管理情報エリア１０１内のシーケンス情報テーブル１１４に格納される１つのシーケンス情報（ＳＩ）の内容が示されている。図１２に示すようにシーケンス情報エリア１１６には、映像セルの再生順序及びシーケンス情報等が記述される。このシーケンス情報（ＳＩ）の番号は、シーケンスの番号に一致し、シーケンス情報テーブル１１４にその番号順に割り付けられている。シーケンス番号１は、デフォルト再生シーケンスであり、シーケンスを構成するセルの配置は指定順序通りに連続することが望ましいとされている。このシーケンス情報１１６は、シーケンス種別情報（ＳＣＡＴ）、構成プログラム数（ＳＮＰＲＧ）、構成セル数（ＳＮＣＥＬ）、シーケンス再生時間（ＳＴＩＭＥ）、接続シーケンス数情報（ＳＮＣＳＱ）、シーケンス番号リスト情報（ＳＣＳＱＮ）及びシーケンス制御情報（ＳＣＩＮＦ）から構成されている。
【００３８】
シーケンス種別情報（ＳＣＡＴ）には、１シーケンス再生して終了する完結型シーケンス、マルチストーリに相当するビデオデータの先頭シーケンスであって、このシーケンスから分岐して次のシーケンスに接続されることが可能な接続型先頭シーケンス、他の接続型シーケンスから分岐されて更に他のシーケンスに接続される接続型中間シーケンス、及び、他の接続型シーケンスから接続され、そのシーケンスを終了する接続型終了シーケンスのいずれであるかが記述される。構成プログラム数（ＳＮＰＲＧ）には、シーケンスを構成するプログラム数が記述される。構成セル数（ＳＮＣＥＬ）には、シーケンスを構成している延べセル数が記述される。シーケンス再生時間（ＳＴＩＭＥ）には、シーケンスのトータル再生時間が記述され、接続シーケンス数情報（ＳＮＣＳＱ）には、接続型シーケンスにおいてそのシーケンスを再生後にそのシーケンスに接続可能なシーケンスの数が記述され、シーケンス番号リスト情報（ＳＣＳＱＮ）には、接続シーケンス数情報（ＳＮＣＳＱ）に記述された数分の接続先のシーケンスの番号がリストとして記述され、更に、シーケンス制御情報（ＳＣＩＮＦ）には、シーケンスを構成するセルの再生順序が記述され、この記述に従って、セルが再生されてシーケンスが実行される。複数のセルの中から１つのセルを選択して再生する区間は、セルの集合としてのブロックで記述され、そのブロックを指定することによってそのブロックのシーケンスが実行される。また、シーケンスは、再生順が連続する１つ以上のセルを組合せた再生単位としてのプログラムが定義され、その番号が記述される。シーケンス内のプログラム番号は＃１から昇順に割り付けられる。
【００３９】
ファイル管理テーブル１１３は、その映像用ファイル７８に関する諸元情報を示している。このファイル管理テーブル１１３には、そのファイル名及び光ディスクが装填された光ディスク再生装置で再生可能なファイルか否かを識別する為のファイル識別子が記述されている。また、このファイル管理テーブル１１３には、シーケンス情報テーブル１１４及びセル情報テーブル１１５の開始アドレス及びそれぞれのテーブルに記述されるシーケンス情報１１６及びセル情報１１７の個数、さらに、ファイル７８の先頭からの相対距離で示されるシーケンス情報テーブル１１４の開始アドレス並びにこのシーケンス情報テーブル１１４の先頭からの相対距離で示される各シーケンス情報１１６の開始アドレス、映像用データ１０２の開始アドレス、各データを再生するための情報としてのデータ属性等が記述されている。
【００４０】
ファイル管理テーブル（ＦＭＴ）１１３は複数のパラメータが記録される領域からなり、各領域には、図１３に示すように、ファイル名（ＦＦＮＡＭＥ）、ムービファイルであることを識別する情報としてのファイル識別子（ＦＦＩＤ）、論理ブロック数で記述されるファイル管理テーブル（ＦＭＴ）のサイズ（ＦＳＺＦＭＴ）、このファイル中に存在する総シーケンス数（ＦＮＳＱ）、このファイル中に存在するセル数（ＦＮＣＥＬ）、このファイルの映像用データ中に存在するディスクサーチ情報（ＤＳＩ）パック数（ＦＮＤＳＩＰ）、このファイルのサイズに対応する論理ブロック数（ＦＮＬＢ）、ファイル先頭からのオフセット論理ブロック番号で示されるこのファイル内のシーケンス情報テーブル１１４の開始アドレス（ＦＳＡＳＩＴ）、ファイル先頭からのオフセット論理ブロック番号で示されるこのファイル内のセル情報テーブル１１５の開始アドレス（ＦＳＡＣＩＴ）、ファイル先頭からのオフセット論理ブロック番号で示されるこのファイル内のディスクサーチマップ開始アドレス（ＦＳＡＤＳＭ）、ファイル先頭からのオフセット論理ブロック番号で示されるこのファイル内の映像用データ開始アドレス（ＦＳＡＤＶＤ）、シーケンス情報の記述順にシーケンス分記述されるこのファイルのシーケンス情報テーブル１１４中の各シーケンス情報の開始アドレス（シーケンス情報テーブル１１４の先頭からのオフセットバイト番号）およびサイズ（ＦＳＡＥＳＩ）、シーケンス情報の記述順にシーケンス分記述されるこのファイル内に存在する各シーケンス中で使用するセルの最小番号と最小番号から最大番号間でのセル数（ＦＳＮＣＩＢ）、このファイル内に記録されているビデオデータの再生形態を示すビデオデータ属性（ＦＶＡＴＲ）１２３、このビデオデータと同一時間帯で再生可能な、このファイル内に記録されているオーディオデータのストリーム（データ列）数を示すオーディオストリーム数（ＦＮＡＳＴ）１２４、これらのストリーム数分だけのストリーム番号と記録順を対応させた個々のオーディオストリーム属性（ＦＡＡＴＲ）１２５、上記ビデオデータと同一時間帯で再生可能なこのファイル内に記録されている副映像データのチャネル数を示す副映像チャネル数（ＦＮＳＰＣＨ）１２６、これらのチャネル数分だけチャネル番号と記録順を対応させた個々の副映像チャネル属性（ＦＳＰＡＴＲ）１２７、ファイルの映像用データのすべてのチャネルにおいて使用する副映像カラーパレット（ＦＳＰＰＬＴ）、ベンダが特定用途のために自由に使用できる領域を定義するベンダ定義（ＦＶＤＥＦ）等のパラメータが記録されている。
【００４１】
図１３において、オーディオストリーム数１２４がｎ個のとき、それに続くオーディオデータ属性１２５は＃１〜＃ｎまでストリーム番号順に連続して記録される。
【００４２】
また上記と同様に、副映像チャネル数１２６がｍ個のとき、それに続く副映像データ属性１２７は＃１〜＃ｍまでチャネル番号順に連続して記録される。
【００４３】
ここで、オーディオストリーム数１２４、あるいは副映像チャネル数１２６が、零（０）の場合は、オーディオデータ属性１２５、あるいは副映像データ属性１２７は、記録されない。
【００４４】
上記ビデオデータ属性１２３の各項目は、対応するファイル内に記録されるビデオデータに関する再生形態を決定づけるものである。
【００４５】
このビデオデータ属性（ＦＶＡＴＲ）１２３は、図１４に示すように、ＭＰＥＧ１、ＭＰＥＧ２等のビデオデータの符号化方式を示したビデオ圧縮モード１３１、記録されているビデオデータの表示アスペクト比が３：４か９：１６かを示す表示アスペクト比１３２、ＮＴＳＣ(national television system committee)、ＰＡＬ(phase alternation by line) 等のビデオ信号のフレームレート１３３、ビデオデータに対する表示領域の部分的な割愛（切出し）としてのパンスキャンと表示画像の上下に黒い部分が生じるレターボックスを許可／禁止する表示モード１３４等から構成される。
【００４６】
ビデオ圧縮モード１３１は、００Ｈの場合、ＭＰＥＧ１に準拠していることを示し、０１Ｈの場合、ＭＰＥＧ２に準拠していることを示している。
【００４７】
表示アスペクト比１３２は、００Ｈの場合、３：４のビデオデータを示し、１１Ｈの場合、９：１６のビデオデータを示している。
【００４８】
フレームレート１３３は、００Ｈの場合、ＮＴＳＣを示し、０１Ｈの場合、ＰＡＬを示している。
【００４９】
表示モード１３４は、００Ｈの場合、パンスキャンとレターボックスの両方の許可（切出し許可、縮小許可）を示し、０１Ｈの場合、パンスキャンが許可（切出し許可）でレターボックスが禁止（縮小禁止）を示し、１０Ｈの場合、パンスキャンが禁止（切出し禁止）でレターボックスが許可（縮小許可）を示している。
【００５０】
パンスキャンとレターボックスは、ともに９：１６の表示アスペクト比で記録されたビデオデータ（映像ソフト）を従来の３：４の表示アスペクト比のモニタ部６で再生した場合の画面変換処理である。たとえば、９：１６の表示アスペクト比で記録されたビデオデータを従来の３：４の表示アスペクト比のモニタ部６で再生すると、縦方向に伸びた映像として再生される（図２４の（ａ）の右側の画面参照（ダイレクト））。このように、９：１６のビデオデータは縦方向に伸びた画面として記録されており、一般的にスクイーズ（圧縮された）画面と呼んでいる。このスクイーズ画面を、９：１６の表示アスペクト比のモニタ部６で再生すると、正常な縦横比でかつ画面一杯に表示される。これは、基本的に、表示アスペクト比が３：４のモニタ部６も９：１６のモニタ部６も、その画面上の表示される画素数は同じであり、表示アスペクト比が９：１６のモニタ部６は、従来の表示アスペクト比が３：４のビデオデータを横方向に少し引き伸ばして再生表示しているのにすぎないからである。したがって、その比率で横方向に引き伸ばされたときに正常な縦横比率になるように、あらかじめ横方向に縮めて記録したビデオデータを、ここでは表示アスペクト比が９：１６のビデオデータとしている。
【００５１】
このように、表示アスペクト比が９：１６のビデオデータ（スクイーズ画面）をそのまま表示アスペクト比が３：４のモニタ部６で再生表示すると、縦方向に伸びた映像となり、見辛い映像となるので、このスクイーズ画面を縦横比を正常にして再生表示するための変換処理が、パンスキャンとレターボックスである。
【００５２】
パンスキャンは、スクイーズ画面を表示アスペクト比が９：１６のモニタ部６で再生した画面から表示アスペクト比３：４の画角を切り取って再生表示するものである。この場合、たとえば、図２４の（ａ）の左側の画面のように、本来持っている１画面分のビデオデータから一部分（両端）が欠落したものとなる。
【００５３】
このパンスキャン変換処理は、ビデオデコーダ部５８内の後述するＭＰＥＧ２デコーダ５８ｄにより行われるようになっている。
【００５４】
レターボックス変換は、基本的には、９：１６の画角全部を、３：４の画角に縦横比が正常のまま嵌め込もうとする処理である。したがって、パンスキャンで発生するビデオデータ（画面情報）の一部欠落という現象は回避できるが、モニタ部６の画面の上下に映像の表示されない黒帯の部分が生じる（図２４の（ａ）の中央の画面参照）。
【００５５】
このレターボックスの変換処理は、後述するビデオ再生処理部２０１内のレターボックス変換器２０４により行われるようになっている。
【００５６】
この結果、光ディスク１０のフォーマットでは、表示アスペクト比９：１６のビデオデータが光ディスク１０に記録され、それが３：４の表示アスペクト比のモニタ部６で再生表示される場合に、上記パンスキャンとレターボックスのどちらの変換を許可あるいは禁止させるかを、上記表示モードの設定により、光ディスク１０の制作者の意図で制限できる。
【００５７】
上記オーディオストリーム属性（ＦＡＡＴＲ）１２５の各項目は、本ファイル内に記録されるオーディオデータに関する再生形態を決定づけるものである。
【００５８】
このオーディオデータ属性１２５は、図１５に示すように、ＭＰＥＧ１、ＡＣ３、リニアＰＣＭ等のオーディオデータの符号化方式を示したオーディオ圧縮モード１５１、ステレオ、モノラル、ディジタルサラウンド等のオーディオ再生モードを示すオーディオモード１５２、オーディオデータの内容が音楽／言語（音声）等を示すオーディオ種別１５３、オーディオストリームが、ミキシング可能か否か、また、単独再生可能か否か（マスタ／スレーブ）を示すミキシング１５４、前述のミキシング１５４でミキシング可能で単独再生不可（スレーブ）の場合、そのミキシング可能なマスタストリーム番号を指定するマスタストリーム番号１５５、前述のオーディオ種別１５３で種別が言語（音声）の場合、そのオーディオストリームの言語を示す言語コード１５６等から構成される。
【００５９】
上記副映像チャネル属性（ＦＳＰＡＴＲ）１２７の各項目は、対応するファイル内に記録される副映像データに関する再生形態を決定づけるものである。
【００６０】
この副映像データ属性１２７は、図１６に示すように、Ｒａｗ（未加工）、Ｒｕｎ−ｌｅｎｇｔｈ（ランレングス）等の副映像データの符号化方式を示した副映像圧縮モード１７１、副映像データの内容が絵柄／言語（字幕）等を示す副映像種別１７２、前述の副映像種別１７２で種別が言語（字幕）の場合、その副映像チャネルの言語を示す言語コード１７３等から構成される。
【００６１】
次に、上記ビデオデータ属性１２３、オーディオデータ属性１２５、副映像データ属性１２７に対応した、ビデオデコーダ部５８、オーディオデコーダ部６０、副映像デコーダ部６２、Ｄ／Ａ＆再生処理部６４の構成例について説明する。
【００６２】
ビデオデコーダ部５８は、図１７に示すように、レジスタ５８ａ、セレクタ５８ｂ、ＭＰＥＧ１デコーダ５８ｃ、およびＭＰＥＧ２デコーダ５８ｄにより構成されている。
【００６３】
上記レジスタ５８ａは、上記システムＣＰＵ部５０からシステムプロセッサ部５４を介して供給される制御信号（符号化方式に沿った）を保持するものであり、その出力はセレクタ５８ｂに出力される。セレクタ５８ｂは、上記システムプロセッサ部５４から供給されるビデオデータを上記レジスタ５８ａからの出力に応じて、ＭＰＥＧ１デコーダ５８ｃ、あるいはＭＰＥＧ２デコーダ５８ｄに選択的に出力するものである。ＭＰＥＧ１デコーダ５８ｃは、セレクタ５８ｂからのビデオデータをＭＰＥＧ１の符号化方式でデコードするものである。ＭＰＥＧ２デコーダ５８ｄは、セレクタ５８ｂからのビデオデータをＭＰＥＧ２の符号化方式でデコードするものである。上記ＭＰＥＧ１デコーダ５８ｃあるいはＭＰＥＧ２デコーダ５８ｄからのデコーダ出力は、ビデオデコーダ部５８のデコーダ出力としてＤ／Ａ＆再生処理部６４内の後述するビデオ再生処理部２０１へ出力される。
【００６４】
また、上記システムＣＰＵ部５０からシステムプロセッサ部５４を介して供給されるパンスキャンを行うか否かの制御信号がＭＰＥＧ２デコーダ５８ｄに供給されている。これにより、ＭＰＥＧ２デコーダ５８ｄは、その制御信号によりパンスキャン処理が指示されている際に、パンスキャン処理を施して出力するようになっている。パンスキャン処理は、９：１６の表示アスペクト比のビデオデータの両端の領域の画像を除去して、３：４に対応する部分のビデオデータのみを切り出す処理である。
【００６５】
オーディオデコーダ部６０は、図１８に示すように、レジスタ６０ａ、セレクタ６０ｂ、ＭＰＥＧ１デコーダ６０ｃ、ＡＣ３デコーダ６０ｄ、およびＰＣＭデコーダ６０ｅにより構成されている。
【００６６】
上記レジスタ６０ａは、上記システムＣＰＵ部５０からシステムプロセッサ部５４を介して供給される制御信号を保持するものであり、その出力はセレクタ６０ｂに出力される。セレクタ６０ｂは、上記システムプロセッサ部５４から供給されるオーディオデータを上記レジスタ６０ａからの出力に応じて、ＭＰＥＧ１デコーダ６０ｃ、ＡＣ３デコーダ６０ｄ、あるいはＰＣＭデコーダ６０ｅに選択的に出力するものである。ＭＰＥＧ１デコーダ６０ｃは、セレクタ６０ｂからのオーディオデータをＭＰＥＧ１の符号化方式でデコードするものである。ＡＣ３デコーダ６０ｄは、セレクタ６０ｂからのオーディオデータをＡＣ３の符号化方式でデコードするものである。ＰＣＭデコーダ６０ｅは、セレクタ６０ｂからのディジタルのオーディオデータをアナログのオーディオデータにデコードするものである。
【００６７】
上記ＭＰＥＧ１デコーダ６０ｃ、ＡＣ３デコーダ６０ｄ、あるいはＰＣＭデコーダ６０ｅからのデコーダ出力は、オーディオデコーダ部６０のデコーダ出力としてＤ／Ａ＆再生処理部６４内の後述するオーディオ再生処理部２０２へ出力される。
【００６８】
副映像デコーダ部６２は、図１９に示すように、レジスタ６２ａ、セレクタ６２ｂ、ビットマップデコーダ６２ｃ、およびランレングスデコーダ６２ｄにより構成されている。
【００６９】
上記レジスタ６２ａは、上記システムＣＰＵ部５０からシステムプロセッサ部５４を介して供給される制御信号を保持するものであり、その出力はセレクタ６２ｂに出力される。セレクタ６２ｂは、上記システムプロセッサ部５４から供給される副映像データを上記レジスタ６２ａからの出力に応じて、ビットマップデコーダ６２ｃ、あるいはランレングスデコーダ６２ｄに選択的に出力するものである。
【００７０】
ビットマップデコーダ６２ｃは、セレクタ６２ｂからの副映像データをビットマップの符号化方式でデコードするものである。ランレングスデコーダ６２ｄは、セレクタ６２ｂからの副映像データをランレングスの符号化方式でデコードするものである。
【００７１】
Ｄ／Ａ＆再生処理部６４は、図１に示すように、ビデオ再生処理部２０１、オーディオ再生処理部２０２、オーディオミキシング部２０３、副映像再生処理部２０７を有している。
【００７２】
ビデオ再生処理部２０１は、図２０に示すように、内部にメモリを有するレターボックス変換器２０４、ビデオフォーマッタ（色差信号変換）機能を有するデジタル・ＮＴＳＣ／ＰＡＬ変換器２０５、およびＤ／Ａ変換器２０６により構成されている。
【００７３】
レターボックス変換器２０４は、上記システムＣＰＵ部５０からシステムプロセッサ部５４を介して供給される制御信号に応じて、上記ビデオデコーダ部５８から供給されるビデオデータをレターボックス変換処理を行うか、あるいはレターボックス変換処理を行わずにそのままスルーさせるものである。上記レターボックス変換処理は、たとえば、９：１６のアスペクト比のビデオデータに対して縦方向を圧縮するものである。モニタ部６（表示アスペクト比が３：４、９：１６の両方）での表示時、画像の上下に黒い部分ができるため、レターボックスと言われている。
【００７４】
デジタル・ＮＴＳＣ／ＰＡＬ変換器２０５は、上記システムＣＰＵ部５０からシステムプロセッサ部５４を介して供給される制御信号に応じて、レターボックス変換器２０４からのビデオデータをＮＴＳＣのフォーマットに変換したり、ＰＡＬのフォーマットに変換するものである。このデジタル・ＮＴＳＣ／ＰＡＬ変換器２０５からの出力は、Ｄ／Ａ変換器２０６でアナログデータに変換された後、モニタ部６へ出力される。
【００７５】
オーディオ再生処理部２０２は、図２１に示すように、レジスタ２０２ａ、セレクタ２０２ｂ、ステレオ出力部２０２ｃ、モノラル出力部２０２ｄ、サラウンド出力部２０２ｅにより構成されている。
【００７６】
上記レジスタ２０２ａは、上記システムＣＰＵ部５０からシステムプロセッサ部５４を介して供給される制御信号を保持するものであり、その出力はセレクタ２０２ｂに出力される。セレクタ２０２ｂは、上記オーディオデコーダ部６０から供給されるオーディオデータを上記レジスタ２０２ａからの出力に応じて、ステレオ出力部２０２ｃ、モノラル出力部２０２ｄ、あるいはサラウンド出力部２０２ｅに選択的に出力するものである。ステレオ出力部２０２ｃは、セレクタ２０２ｂからのオーディオデータをステレオデータに変換するものである。モノラル出力部２０２ｄは、セレクタ２０２ｂからのオーディオデータをモノラルデータに変換するものである。サラウンド出力部２０２ｅは、セレクタ２０２ｂからのオーディオデータをサラウンドデータに変換するものである。ステレオ出力部２０２ｃ、モノラル出力部２０２ｄ、あるいはサラウンド出力部２０２ｅからの出力、つまりオーディオ再生処理部２０２の出力は、オーディオミキシング部２０３へ出力される。
【００７７】
オーディオミキシング部２０３は、図２２に示すように、レジスタ２０３ａ、レジスタ２０３ｂ、セレクタ２０３ｃ、第１ストリーム処理部２０３ｄ、第２ストリーム処理部２０３ｅ、ミキシング処理部２０３ｆにより構成されている。
【００７８】
上記レジスタ２０３ａ、２０３ｂは、上記システムＣＰＵ部５０からシステムプロセッサ部５４を介して供給される制御信号を保持するものであり、上記レジスタ２０３ａの出力はセレクタ２０３ｃに出力され、上記レジスタ２０３ｂの出力はミキシング処理部２０３ｆに出力される。セレクタ２０３ｃは、上記オーディオ再生処理部２０２から供給されるオーディオデータを上記レジスタ２０３ａからの出力に応じて、第１ストリーム処理部２０３ｄ、あるいは第２ストリーム処理部２０３ｅに選択的に出力するものである。第１ストリーム処理部２０３ｄは、セレクタ２０３ｃからのオーディオデータを第１ストリームのデータに変換するものである。第２ストリーム処理部２０３ｅは、セレクタ２０３ｃからのオーディオデータを第２ストリームのデータに変換するものである。第１ストリーム処理部２０３ｄあるいは第２ストリーム処理部２０３ｅからの出力は、ミキシング処理部２０３ｆへ出力される。ミキシング処理部２０３ｆは、上記レジスタ２０３ａからの出力に応じて、ミキシング処理を行い、このミキシング処理後のデータをオーディオミキシング部２０３の出力としてスピーカ８等へ出力する。
【００７９】
次に、再び図１を参照して図６から図１６に示す論理フォーマットを有する光ディスク１０からのムービデータの再生動作について説明する。尚、図１においてブロック間の実線の矢印は、データバスを示し、破線の矢印は、制御バスを示している。
【００８０】
図１に示される光ディスク装置においては、電源が投入されると、システム用ＲＯＭ及びＲＡＭ５２からシステムＣＰＵ部５０は、初期動作プログラムを読み出し、ディスクドライブ部３０を作動させる。従って、ディスクドライブ部３０は、リードイン領域２７から読み出し動作を開始し、リードイン領域２７に続くボリューム管理領域７０のボリューム管理情報エリア７４からボリューム管理情報が読み出される。即ち、システムＣＰＵ部５０は、ディスクドライブ部３０にセットされたディスク１０の所定位置に記録されているボリューム管理情報エリア７４からボリューム管理情報を読み出す為に、ディスクドライブ部３０にリード命令を与え、ボリューム管理情報の内容を読み出し、システムプロセッサ部５４を介して、データＲＡＭ部５６に一旦格納する。システムＣＰＵ部５０は、データＲＡＭ部５６に格納されたボリューム管理情報のデータ列から各ファイルの記録位置や記録容量等の情報やその他管理に必要な情報を抜き出し、システム用ＲＯＭ＆ＲＡＭ部５２の所定の場所に転送し、保存する。
【００８１】
次に、システムＣＰＵ部５０は、システム用ＲＯＭ＆ＲＡＭ部５２から、先に取得した各ファイルの記録位置や記録容量の情報を参照してファイル番号０番に相当するディスク情報ファイル７６を取得する。即ち、システムＣＰＵ部５０は、システム用ＲＯＭ及びＲＡＭ部５２から、先に取得した各ファイルの記録位置や記録容量の情報を参照してディスクドライブ部３０に対してリード命令を与え、ファイル番号が０であるディスク情報ファイル７６のファイル管理情報を読み出し、システムプロセッサ部５４を介して、データＲＡＭ部５６に格納する。取得した情報を同様にシステム用ＲＯＭ＆ＲＡＭ部５２の所定の場所に転送し保存する。
【００８２】
システムＣＰＵ部５０は、ディスク情報ファイル７６のファイル管理情報のディスク構成情報、メニュー構成情報及びセル情報を利用して、メニュー映像用データエリア８４のシーケンス（タイトル）選択メニューを再生し、後述するように画面に表示する。
【００８３】
ユーザは、再生するシーケンス（タイトル）の選択を、表示されたメニュー画面に記された選択番号を基に、キー操作部及び表示部４を用いて指定する。これにより選択したシーケンスの帰属するファイル番号及びシーケンス情報が特定される。このシーケンスの選定では、メニュー画面を基にすべてのシーケンスを選定する場合と、先頭シーケンスを選定してそのシーケンスの終了時点で映像セルに含まれるメニューセルから次のシーケンスを選定する場合がある。
【００８４】
指定された映像用ファイル７８を取得し、映像用データ１０２を再生するまでの動作を次に説明する。指定されたシーケンス番号に対するシーケンス情報を取得するために、ボリューム管理情報７４から得た各映像用ファイル７８の記録位置及び記録容量を用いて、先ず、再生するシーケンスが帰属する映像用ファイル７８のファイル管理情報１０１を上記のディスク情報ファイル７６の時と同様に読み出し、データＲＡＭ部５６へ格納する。
【００８５】
システムＣＰＵ部５０は、データＲＡＭ部５６に格納したファイル管理情報のファイル管理テーブル１１３からビデオ属性１２３、オーディオストリーム属性１２５、副映像チャネル属性１２７を取得し、それらの属性に合わせた制御信号をビデオデコーダ部５８、オーディオデコーダ部６０、副映像デコーダ部６２、ビデオ再生処理部２０１、オーディオ再生処理部２０２、オーディオミキシング部２０３、副映像再生処理部２０７に出力する。
【００８６】
システムＣＰＵ部５０は、データＲＡＭ部５６に格納したファイル管理情報エリア１０１のシーケンス情報テーブル１１４から、指定されたシーケンス番号に対応するシーケンス情報を取得し、そのデータと、そのシーケンスを再生するために必要なセル情報テーブル１１５中のセル情報をシステムＲＯＭ＆ＲＡＭ部５２へ転送し、格納する。
【００８７】
このように取得したシーケンス情報中のセル再生順序情報により、最初に再生するセル情報を取得し、このセル情報中の映像用データ再生開始アドレスとサイズをもとに、ディスクドライブ部３０に対し目的のアドレスからのリード命令が与えられる。ディスクドライブ部３０は、リード命令に従って光ディスク１０を駆動すると共に、光ディスク１０より目的のアドレスのデータを読み込んでシステムプロセッサ部５４に送る。システムプロセッサ部５４は、送られてきたデータをデータＲＡＭ部５６に一旦記憶し、そのデータに付加されているヘッダ情報を基にデータの種別（ビデオ、オーディオ、副映像、再生情報等）を判別し、判別した種類に応じたデコーダ部５８、６０、６２にデータを転送する。
【００８８】
各デコーダ部５８、６０、６２はそれぞれのデータフォーマットと上記設定されている符号化方式に従ってデータをデコードし、Ｄ／Ａ＆再生処理部６４内のビデオ再生処理部２０１、オーディオ再生処理部２０２、副映像再生処理部２０７に送る。ビデオ再生処理部２０１でビデオデータのデコード結果のディジタル信号をアナログ信号に変換した後、上記設定されている条件によりフレームレート処理、アスペクト処理、パンスキャン処理等を施して、モニタ部６に出力される。オーディオ再生処理部２０２でオーディオデータのデコード結果を上記設定されている条件によりディジタル信号をアナログ信号に変換した後、オーディオミキシング部２０３で上記設定されている条件によりミキシング処理を施してスピーカ部８に出力される。副映像再生処理部２０７は、副映像データのデコード結果のディジタル信号をアナログ信号に変換した後、モニタ部６に出力される。
【００８９】
尚、データの種別の判別過程では、データが映像用データの再生位置等を示す再生情報の場合には、この再生情報はデコーダへは転送されず、この再生データは、データＲＡＭ部５６に格納される。この再生情報は、システムＣＰＵ部５０によって必要に応じて参照されて映像データを再生する際の監視に利用される。
【００９０】
また、１つのセルの再生が終了すると、次に再生するセル情報がシーケンス情報中のセル再生順序情報から取得し、同様にして再生が続けられる。
【００９１】
次に、この光ディスク再生装置におけるビデオデータ属性の取得／設定処理について、図２３に示すフローチャートを参照しつつ説明する。
【００９２】
すなわち、システムＣＰＵ部５０は、ディスクドライブ部３０を制御して、図８に示すようなファイル構造を持つユーザが指定したファイルを光ディスク１０から読み出し、一旦データＲＡＭ部５６へ格納する。
【００９３】
データＲＡＭ部５６内に格納した指定ファイルのファイル管理情報領域１０１のファイル管理情報に記録されたビデオデータ属性１２３をシステムＣＰＵ部５０が取得する（Ｓ１）。
【００９４】
システムＣＰＵ部５０は、取得したビデオデータ属性１２３内に記述されるビデオ圧縮モード１３１がＭＰＥＧ１、ＭＰＥＧ２のいずれに準拠しているかの判別を行い、この判別結果に応じた制御信号をビデオデコーダ部５８のレジスタ５８ａに出力する（Ｓ２）。
【００９５】
これにより、レジスタ５８ａに供給された制御信号に応じてセレクタ５８ｂが切換えられ、ビデオ圧縮モード１３１がＭＰＥＧ１に準拠している場合、セレクタ５８ｂがＭＰＥＧ１デコーダ５８ｃ側に切換えられ（Ｓ３）、ビデオ圧縮モード１３１がＭＰＥＧ２に準拠している場合、セレクタ５８ｂがＭＰＥＧ２デコーダ５８ｄ側に切換えられる（Ｓ４）。
【００９６】
また、システムＣＰＵ部５０は、取得したビデオデータ属性１２３内に記述されるフレームレート１３３がＮＴＳＣであるかＰＡＬであるかの判別を行い（Ｓ５）、この判別結果に応じた制御信号をＤ／Ａ＆再生処理部６４におけるビデオ再生処理部２０１内のデジタル・ＮＴＳＣ／ＰＡＬ変換器２０５に出力される。
【００９７】
これにより、デジタル・ＮＴＳＣ／ＰＡＬ変換器２０５はその供給される制御信号に応じて、デジタルビデオ変換をＮＴＳＣに設定するか（Ｓ６）、あるいはデジタルビデオ変換をＰＡＬに設定する（Ｓ７）。
【００９８】
また、システムＣＰＵ部５０は、取得したビデオデータ属性１２３内に記述される表示アスペクト比１３２が３：４であるか９：１６であるかの判別を行う（Ｓ８）。
【００９９】
この判別結果が３：４であった場合、システムＣＰＵ部５０は、ダイレクト表示モードに設定される（Ｓ９）。この際、システムＣＰＵ部５０は、レターボックス変換処理の禁止を示す制御信号をシステムプロセッサ部５４を介してＤ／Ａ＆再生処理部６４におけるビデオ再生処理部２０１内のレターボックス変換器２０４に出力する。これにより、レターボックス変換器２０４によるレターボックス変換処理が禁止される。
【０１００】
また、システムＣＰＵ部５０は、パンスキャン処理の禁止を示す制御信号をシステムプロセッサ部５４を介してビデオデコーダ部５８内のＭＰＥＧ２デコーダ５８ｄに出力する。これにより、ＭＰＥＧ２デコーダ５８ｄによるパンスキャン処理が禁止される。
【０１０１】
また、上記ステップ８での判別結果が９：１６であった場合、システムＣＰＵ部５０は、取得したビデオデータ属性１２３内に記述される表示モード１３４が００Ｈか０１Ｈか１０Ｈかの判別を行う（Ｓ１０、Ｓ１２）。
【０１０２】
この結果、システムＣＰＵ部５０は、００Ｈの場合、パンスキャンとレターボックスの両方の許可モードを判別し、そのモードに設定され（Ｓ１１）、０１Ｈの場合、パンスキャン許可でレターボックス禁止のモードを判別し、そのモードに設定され（Ｓ１３）、１０Ｈの場合、パンスキャン禁止でレターボックス許可のモードを判別し、そのモードに設定される（Ｓ１４）。
【０１０３】
上記ステップ１３でレターボックスが禁止された際、システムＣＰＵ部５０は、レターボックス変換処理の禁止を示す制御信号をシステムプロセッサ部５４を介してＤ／Ａ＆再生処理部６４におけるビデオ再生処理部２０１内のレターボックス変換器２０４に出力する。これにより、レターボックス変換器２０４によるレターボックス変換処理が禁止される。
【０１０４】
また、上記ステップ１４でパンスキャンが禁止された際、システムＣＰＵ部５０は、パンスキャン処理の禁止を示す制御信号をシステムプロセッサ部５４を介してビデオデコーダ部５８内のＭＰＥＧ２デコーダ５８ｄに出力する。これにより、ＭＰＥＧ２デコーダ５８ｄによるパンスキャン処理が禁止される。
【０１０５】
このように、光ディスク再生装置においてビデオデータ属性が取得され、設定されている状態で、光ディスク１０から再生されたビデオデータがモニタ部６で表示されている際の処理について、図２４、図２５に示す表示例を参照しつつ説明する。
【０１０６】
たとえば今、９：１６の表示アスペクト比のビデオデータを再生し、３：４の表示アスペクト比のモニタ部６で表示する際に、表示モードがパンスキャンとレターボックスの両方の許可モードとなっていた場合、初期時、図２４の（ａ）に示す、レターボックスの画像が表示される。この状態で、リモートコントローラ５のシェイプキー５ｎが投入されるごとに、モニタ部６では、ダイレクトの画像、パンスキャンの画像、レターボックスの画像が順にサイクリックに表示される。上記初期画像は、ダイレクトの画像、あるいはパンスキャンの画像であっても良い。
【０１０７】
また、９：１６の表示アスペクト比のビデオデータを再生し、３：４の表示アスペクト比のモニタ部６で表示する際に、表示モードがパンスキャン禁止でレターボックス許可のモードとなっていた場合、初期時、図２４の（ｂ）に示す、レターボックスの画像が表示される。この状態で、リモートコントローラ５のシェイプキー５ｎが投入されるごとに、モニタ部６では、ダイレクトの画像、レターボックスの画像が順にサイクリックに表示される。上記初期画像は、ダイレクトの画像であっても良い。
【０１０８】
また、９：１６の表示アスペクト比のビデオデータを再生し、３：４の表示アスペクト比のモニタ部６で表示する際に、表示モードがパンスキャン許可でレターボックス禁止のモードとなっていた場合、初期時、図２４の（ｃ）に示す、パンスキャンの画像が表示される。この状態で、リモートコントローラ５のシェイプキー５ｎが投入されるごとに、モニタ部６では、ダイレクトの画像、パンスキャンの画像が順にサイクリックに表示される。上記初期画像は、ダイレクトの画像であっても良い。
【０１０９】
また、９：１６の表示アスペクト比のビデオデータを再生し、９：１６の表示アスペクト比のモニタ部６で表示する際に、表示モードがパンスキャンとレターボックスの両方の許可モードとなっていた場合、初期時、図２５の（ａ）に示す、ダイレクトの画像が表示される。この状態で、リモートコントローラ５のシェイプキー５ｎが投入されるごとに、モニタ部６では、パンスキャンの画像、レターボックスの画像、ダイレクトの画像が順にサイクリックに表示される。上記初期画像は、レターボックスの画像、あるいはパンスキャンの画像であっても良い。
【０１１０】
また、９：１６の表示アスペクト比のビデオデータを再生し、９：１６の表示アスペクト比のモニタ部６で表示する際に、表示モードがパンスキャン禁止でレターボックス許可のモードとなっていた場合、初期時、図２５の（ｂ）に示す、ダイレクトの画像が表示される。この状態で、リモートコントローラ５のシェイプキー５ｎが投入されるごとに、モニタ部６では、レターボックスの画像、ダイレクトの画像が順にサイクリックに表示される。上記初期画像は、レターボックスの画像であっても良い。
【０１１１】
また、９：１６の表示アスペクト比のビデオデータを再生し、９：１６の表示アスペクト比のモニタ部６で表示する際に、表示モードがパンスキャン許可でレターボックス禁止のモードとなっていた場合、初期時、図２５の（ｃ）に示す、ダイレクトの画像が表示される。この状態で、リモートコントローラ５のシェイプキー５ｎが投入されるごとに、モニタ部６では、パンスキャンの画像、ダイレクトの画像が順にサイクリックに表示される。上記初期画像は、パンスキャンの画像であっても良い。
【０１１２】
なお、上記実施例では、モニタ部の表示アスペクト比に関係なく表示モードが設定される場合について説明したが、これに限らず、接続されるモニタ部の表示アスペクト比に応じて、表示モードを切り換えるようにしても良い。
【０１１３】
この場合の実施例について、図２６から図２８を用いて説明する。
【０１１４】
図２６は、この光ディスク再生装置の裏面のリアパネルを示すものであり、このリアパネルには、映像出力端子２５０、２５１、接続テレビ切換スイッチ２５２、音声出力端子２５３、２５４、および電源コード２５５が設けられている。
【０１１５】
上記接続テレビ切換スイッチ２５２により、光ディスク再生装置に接続されるモニタ部６としてのテレビの表示アスペクト比が、９：１６か３：４かを切換え指定されるようになっている。この接続テレビ切換スイッチ２５２の設定状態は、システムＣＰＵ部５０へ出力されるようになっている。
【０１１６】
次に、この光ディスク再生装置におけるビデオデータ属性の取得／設定処理について、図２７に示すフローチャートを参照しつつ説明する。ただし、ステップ１〜７までは、図２３に示すフローチャートの場合と同様に動作する。
【０１１７】
すなわち、ステップ６あるいはステップ７による設定がなされた後に、システムＣＰＵ部５０は、接続テレビ切換スイッチ２５２の設定状態が９：１６側か３：４側かにより、接続されるモニタ部６の表示アスペクト比が、９：１６か３：４かを判断する（Ｓ１５）。
【０１１８】
この判断結果が９：１６であった場合、システムＣＰＵ部５０は、ダイレクトでの再生表示モードに設定される（Ｓ９´）。この際、システムＣＰＵ部５０は、レターボックス変換処理の禁止を示す制御信号をシステムプロセッサ部５４を介してＤ／Ａ＆再生処理部６４におけるビデオ再生処理部２０１内のレターボックス変換器２０４に出力する。これにより、レターボックス変換器２０４によるレターボックス変換処理が禁止される。
【０１１９】
また、システムＣＰＵ部５０は、パンスキャン処理の禁止を示す制御信号をシステムプロセッサ部５４を介してビデオデコーダ部５８内のＭＰＥＧ２デコーダ５８ｄに出力する。これにより、ＭＰＥＧ２デコーダ５８ｄによるパンスキャン処理が禁止される。
【０１２０】
また、上記ステップ１５での判別結果が３：４であった場合、システムＣＰＵ部５０は、取得したビデオデータ属性１２３内に記述される表示アスペクト比１３２が３：４であるか９：１６であるかの判別を行う（Ｓ８´）。
【０１２１】
この判別結果が３：４であった場合、システムＣＰＵ部５０は、上記ダイレクトでの再生表示モードに設定される（Ｓ９´）。
【０１２２】
また、上記ステップ８´での判別結果が９：１６であった場合、システムＣＰＵ部５０は、取得したビデオデータ属性１２３内に記述される表示モード１３４が００Ｈか０１Ｈか１０Ｈかの判別を行う（Ｓ１０´、Ｓ１２´）。
【０１２３】
この結果、システムＣＰＵ部５０は、００Ｈの場合、パンスキャンとレターボックスの両方の許可モードを判別し、パンスキャンあるいはレターボックスでの再生表示モードに設定され（Ｓ１１´）、０１Ｈの場合、パンスキャン許可でレターボックス禁止のモードを判別し、パンスキャンでの再生表示モードに設定され（Ｓ１３´）、１０Ｈの場合、パンスキャン禁止でレターボックス許可のモードを判別し、レターボックスでの再生表示モードに設定される（Ｓ１４´）。
【０１２４】
上記ステップ１３でレターボックスが禁止された際、システムＣＰＵ部５０は、レターボックス変換処理の禁止を示す制御信号をシステムプロセッサ部５４を介してＤ／Ａ＆再生処理部６４におけるビデオ再生処理部２０１内のレターボックス変換器２０４に出力する。これにより、レターボックス変換器２０４によるレターボックス変換処理が禁止される。
【０１２５】
また、上記ステップ１４でパンスキャンが禁止された際、システムＣＰＵ部５０は、パンスキャン処理の禁止を示す制御信号をシステムプロセッサ部５４を介してビデオデコーダ部５８内のＭＰＥＧ２デコーダ５８ｄに出力する。これにより、ＭＰＥＧ２デコーダ５８ｄによるパンスキャン処理が禁止される。
【０１２６】
このように、光ディスク再生装置においてビデオデータ属性が取得され、設定されている状態で、光ディスク１０から再生されたビデオデータがモニタ部６で表示されている際の処理について、図２８に示す表示例を参照しつつ説明する。
【０１２７】
たとえば今、９：１６の表示アスペクト比のビデオデータを再生し、３：４の表示アスペクト比のモニタ部６で表示する際に、パンスキャンあるいはレターボックスでの再生表示モードとなっていた場合、初期時、図２８の（ａ）に示す、レターボックスの画像が表示される。この状態で、リモートコントローラ５のシェイプキー５ｎが投入されるごとに、モニタ部６では、パンスキャンの画像、レターボックスの画像が順にサイクリックに表示される。上記初期画像は、パンスキャンの画像であっても良い。
【０１２８】
また、９：１６の表示アスペクト比のビデオデータを再生し、３：４の表示アスペクト比のモニタ部６で表示する際に、レターボックスの再生表示モードとなっていた場合、図２８の（ｂ）に示すように、レターボックスの画像が表示される。この状態で、リモートコントローラ５のシェイプキー５ｎが投入されても、モニタ部６では、レターボックスの画像だけが表示される。
【０１２９】
また、９：１６の表示アスペクト比のビデオデータを再生し、３：４の表示アスペクト比のモニタ部６で表示する際に、パンスキャンの再生表示モードとなっていた場合、図２８の（ｃ）に示すように、パンスキャンの画像が表示される。この状態で、リモートコントローラ５のシェイプキー５ｎが投入されても、モニタ部６では、パンスキャンの画像だけが表示される。
【０１３０】
また、９：１６の表示アスペクト比のビデオデータを再生し、９：１６の表示アスペクト比のモニタ部６で表示する際、常に、ダイレクトの画像が表示される。
【０１３１】
したがって、上記の場合、光ディスク再生装置に接続されるモニタ部の表示アスペクト比をあらかじめ設定しておくことにより、縦横比の異常な画面再生を回避することができるようになっている。
【０１３２】
次に、この光ディスク再生装置におけるオーディオデータ属性の取得／設定処理について、図２９に示すフローチャートを参照しつつ説明する。
【０１３３】
まず、システムＣＰＵ部５０は、ディスクドライブ部３０を制御して、図８に示すようなファイル構造を持つユーザが指定したファイルを光ディスク１０から読み出し、一旦データＲＡＭ部５６へ格納する（Ｓ２０）。
【０１３４】
データＲＡＭ部５６内に格納した、指定ファイルのファイル管理情報領域１０１のファイル管理情報に記録されたオーディオストリーム数１２４（ｎ個）をシステムＣＰＵ部５０が取得する（Ｓ２１）。
【０１３５】
ユーザにより、選択するオーディオストリーム番号を指定する（Ｓ３２）。
【０１３６】
データＲＡＭ部５６内に格納した指定ファイルのファイル管理情報に記録されたｎ個のオーディオデータ属性群１２５からユーザ指定のストリーム番号に対応するオーディオ属性１２５をシステムＣＰＵ部５０が取得する（Ｓ２２）。
【０１３７】
システムＣＰＵ部５０は、取得したオーディオデータ属性１２５内に記述されるオーディオ圧縮モード１５１がＭＰＥＧ１、リニアＰＣＭのいずれに準拠しているかの判別を行い、この判別結果に応じた制御信号をオーディオデコーダ部６０のレジスタ６０ａに出力する（Ｓ２３）。
【０１３８】
これにより、レジスタ６０ａに供給された制御信号に応じてセレクタ６０ｂが切換えられ、オーディオ圧縮モード１５１がＭＰＥＧ１に準拠している場合、システムプロセッサ部５４からのオーディオデータはセレクタ６０ｂを介してＭＰＥＧ１デコーダ６０ｃに供給され、オーディオ圧縮モード１５１がＡＣ３に準拠している場合、システムプロセッサ部５４からのオーディオデータはセレクタ６０ｂを介してＡＣ３デコーダ６０ｄに供給され、ビデオ圧縮モード１３１がリニアＰＣＭに準拠している場合、システムプロセッサ部５４からのオーディオデータはセレクタ６０ｂを介してＰＣＭデコーダ６０ｅに供給される。
【０１３９】
また、システムＣＰＵ部５０は、取得したオーディオデータ属性１２５内に記述されるオーディオモード１５２がステレオかモノラルかサラウンドのいずれであるかの判別を行い、この判別結果に応じた制御信号をオーディオ再生処理部２０２内のレジスタ２０２ａに出力する（Ｓ２４）。
【０１４０】
これにより、レジスタ２０２ａに供給された制御信号に応じてセレクタ２０２ｂが切換えられ、オーディオモード１５２がステレオの場合、オーディオデコーダ部６０からのオーディオデータはセレクタ２０２ｂを介してステレオ出力部２０２ｃに供給され、オーディオモード１５２がモノラルの場合、オーディオデコーダ部６０からのオーディオデータはセレクタ２０２ｂを介してモノラル出力部２０２ｄに供給され、オーディオモード１５２がサラウンドの場合、オーディオデコーダ部６０からのオーディオデータはセレクタ２０２ｂを介してサラウンド出力部２０２ｅに供給される。
【０１４１】
次に、システムＣＰＵ部５０は、取得したオーディオデータ属性１２５内に記述されるミキシング１５４がミキシングが不可であるか、ミキシング可能なマスタストリームであるか、ミキシング可能なスレーブストリームであるかの判別を行い、この判別結果に応じた制御信号をオーディオミキシング部２０３のレジスタ２０３ａ、２０３ｂに出力する（Ｓ２５）。
【０１４２】
これにより、レジスタ２０３ａに供給された制御信号に応じてセレクタ２０３ｃが切換えられ、ミキシング可能なマスタストリームの場合、そのストリームを第１ストリームとして第１ストリーム処理部２０３ｄに供給され、ミキシング可能なスレーブストリームの場合、そのストリームを第２ストリームとして第２ストリーム処理部２０３ｅに供給され、ミキシング不可能な独立ストリームの場合、そのストリームを第１ストリームとして第１ストリーム処理部２０３ｄに供給される（Ｓ２５〜Ｓ２９）。
【０１４３】
また、レジスタ２０３ｂに供給された制御信号に応じてミキシング処理部２０３ｆの処理が切換えられ、ミキシング可能な場合、第１ストリーム処理部２０３ｄの第１ストリームと第２ストリーム処理部２０３ｅの第２ストリームに対するミキシング処理を施してスピーカ部８へ出力され、ミキシング不可能な場合、第１ストリーム処理部２０３ｄの第１ストリームのみがスピーカ部８へ出力される。
【０１４４】
また、システムＣＰＵ部５０は、取得したオーディオデータ属性１２５内に記述されるオーディオ種別１５３が言語であるか否かを判定し（Ｓ３０）、この判定結果が言語である場合、言語コード１５６より、言語コードを取得し、システム用ＲＯＭ＆ＲＡＭ部５２へ予め格納してある言語コード表より、対応する言語名を決定し、モニタ部６等でインジケートする（Ｓ３１）。
【０１４５】
逆にユーザから、言語コードが指定された場合には、オーディオストリーム数１２４と、オーディオデータ属性１２５から、目的の言語コードを有するオーディオストリームを特定することができる。
【０１４６】
また、データ再生中に、ユーザイベント等によりオーディオストリーム番号の切り替え指示があった場合（Ｓ３２）、上記のＳ２２〜Ｓ３１までの処理によりオーディオデータ属性の取得設定を行う。
【０１４７】
次に、この光ディスク再生装置における副映像データ属性の取得／設定処理について、図３０に示すフローチャートを参照しつつ説明する。
【０１４８】
まず、システムＣＰＵ部５０は、ディスクドライブ部３０を制御して、図８に示すようなファイル構造を持つユーザが指定したファイルを光ディスク１０から読み出し、一旦データＲＡＭ部５６へ格納する（Ｓ４０）。
【０１４９】
データＲＡＭ部５６内に格納した、指定ファイルのファイル管理情報に記録された副映像チャネル数１２６（ｍ個）をシステムＣＰＵ部５０が取得する（Ｓ４１）。
【０１５０】
ユーザにより、選択する副映像チャネル番号を指定する（Ｓ４６）。
【０１５１】
データＲＡＭ部５６内に格納した指定ファイル管理情報に記録されたｍ個の副映像データ属性群１２７からユーザ指定のチャネル番号に対応する副映像データ属性１２７をシステムＣＰＵ部５０が取得する（Ｓ４２）。
【０１５２】
システムＣＰＵ部５０は、取得した副映像データ属性１２７内に記述される副映像圧縮モード１７１がＲａｗ（ビットマップに対応）、ランレングスのいずれにであるかの判別を行い、この判別結果に応じた制御信号を副映像デコーダ部６２のレジスタ６２ａに出力する（Ｓ４３）。
【０１５３】
これにより、レジスタ６２ａに供給された制御信号に応じてセレクタ６２ｂが切換えられ、副映像圧縮モード１７１がビットマップに対応している場合、システムプロセッサ部５４からの副映像データはセレクタ６２ｂを介してビットマップデコーダ６２ｃに供給され、副映像圧縮モード１７１がランレングスに対応している場合、システムプロセッサ部５４からの副映像データはセレクタ６２ｂを介してランレングスデコーダ６２ｄに供給される。
【０１５４】
また、システムＣＰＵ部５０は、取得した副映像データ属性１２７内に記述される副映像種別１７２が言語であるか否かの判別を行い（Ｓ４４）、この判別結果が言語である場合、言語コード１７３より、言語コードを取得し、システム用ＲＯＭ＆ＲＡＭ部５２へ予め格納してある言語コード表より、対応する言語名を決定し、モニタ部６等でインジケートする（Ｓ４５）。
【０１５５】
逆にユーザから、言語コードが指定された場合には、副映像チャネル数１２６と、副映像データ属性１２７から、目的の言語コードを有する副映像チャネルを特定することができる。
【０１５６】
また、データ再生中に、ユーザイベント等により副映像チャネル番号の切換え指示があった場合（Ｓ４６）、上記のＳ４２〜Ｓ４５までの処理により副映像データ属性の取得設定を行う。
【０１５７】
上記で説明したことは、ビデオデータを中心に説明を行ったが、その他の応用例として、単体のオーディオデータのみで記録される場合や、それが複数個の場合や圧縮モードが異なる場合、オーディオデータと副映像データで構成される場合、あるいは副映像データのみの場合など、ビデオデータを使用しないで構成することも可能である。
【０１５８】
また、圧縮モード等の異なるビデオデータを複数データ記録して構成することも可能であり、この発明は、必ずしもそのデータの組み合わせを限定するものではない。
【０１５９】
次に、図３１及び図４０を参照して図６から図１６に示す論理フォーマットで映像データ及びこの映像データを再生するための光ディスク１０への記録方法及びその記録方法が適用される記録システムについて説明する。
【０１６０】
図３１は、映像データをエンコーダして映像ファイルを生成するエンコーダシステムが示されている。図３１に示されるシステムにおいては、主映像データ、オーディオデータ及び副映像データのソースとして、例えば、ビデオテープレコーダ（ＶＴＲ）２１１、オーディオテープレコーダ（ＡＴＲ）２１２及び副映像再生器（Subpicture source ）２１３が採用される。これらは、システムコントローラ（Sys con ）２１５の制御下で主映像データ、オーディオデータ及び副映像データを発生し、これらが夫々ビデオエンコーダ（ＶＥＮＣ）２１６、オーディオエンコーダ（ＡＥＮＣ）２１７及び副映像エンコーダ（ＳＰＥＮＣ）２１８に供給され、同様にシステムコントローラ（Sys con ）２１５の制御下でこれらエンコーダ２１６、２１７、２１８でＡ／Ｄ変換されると共に夫々の圧縮方式でエンコードされ、エンコードされた主映像データ、オーディオデータ及び副映像データ（Comp Video, Comp Audio, Comp Sub-pict ）としてメモリ２２０、２２１、２２２に格納される。この主映像データ、オーディオデータ及び副映像データ（Comp Video, Comp Audio, Comp Sub-pict ）は、システムコントローラ（Sys con ）２１５によってファイルフォーマッタ(FFMT)２２４に出力され、既に説明したようなこのシステムの映像データのファイル構造に変換されるとともに各データの設定条件及び属性等の情報がファイルとしてシステムコントローラ（Sys con ）２１５によってメモリ２２６に格納される。
【０１６１】
以下に、映像データからファイルを作成するためのシステムコントローラ（Sys con ）２１５におけるエンコード処理の標準的なフローチャートを説明する。
【０１６２】
図３２に示されるフローチャートに従って主映像データ及びオーディオデータがエンコードされてエンコード主映像及びオーディオデータ（Comp Video, Comp Audio) のデータが作成される。即ち、エンコード処理が開始されると、図３２のステップ７０に示すように主映像データ及びオーディオデータのエンコードにあたって必要なパラメータが設定される。この設定されたパラメータの一部は、システムコントローラ（Sys con ）２１５に保存されるとともにファイルフォーマッタ(FFMT)２２４で利用される。ステップＳ７１で示すようにパラメータを利用して主映像データがプリエンコードされ、最適な符号量の分配が計算される。ステップＳ７２に示されるようにプリエンコードで得られた符号量分配に基づき、主映像のエンコードが実行される。このとき、オーディオデータのエンコードも同時に実行される。ステップＳ７３に示すように必要であれば、主映像データの部分的な再エンコードが実行され、再エンコードした部分の主映像データが置き換えられる。この一連のステップによって主映像データ及びオーディオデータがエンコードされる。また、ステップＳ７４及びＳ７５に示すように副映像データがエンコードされエンコード副映像データ(Comp Sub-pict) が作成される。即ち、副映像データをエンコードするにあたって必要なパラメータが同様に設定される。ステップＳ７４に示すように設定されたパラメータの一部がシステムコントローラ（Sys con ）２１５に保存され、ファイルフォーマッタ(FFMT)２２４で利用される。このパラメータに基づいて副映像データがエンコードされる。この処理により副映像データがエンコードされる。
【０１６３】
図３３に示すフローチャートに従って、エンコードされた主映像データ、オーディオデータ及び副映像データ（Comp Video, Comp Audio, Comp Sub-pict ）が組み合わされて図８を参照して説明したような映像データのファイル構造に変換される。即ち、ステップＳ７６に示すように映像データの最小単位としてのセル１０５が設定され、セル情報テーブル（ＣＩＴ）１１５が作成される。次に、ステップＳ７７に示すようにシーケンス１０６を構成するセル１０５の構成、主映像、副映像及びオーディオ属性等が設定され（これらの属性情報の一部は、各データエンコード時に得られた情報が利用される。）、セル情報テーブル（ＣＩＴ）１１５を含めたファイル管理情報（ＦＭＩ）が作成される。エンコードされた主映像データ、オーディオデータ及び副映像データ（Comp Video, Comp Audio, Comp Sub-pict)が一定のパックに細分化され、各データのタイムコード順に再生可能なように、１ＧＯＰ単位毎に制御パック（ＤＳＩ）９２を挿入しながら各データセルが配置されて図７及び図８に示すようなディスク情報ファイル７６及びムービファイル等のファイル７８の構造にフォーマットされる。
【０１６４】
尚、図３３に示したフローチャートにおいて、シーケンス情報は、ステップＳ７７の過程で、システムコントローラ（Sys con ）２１５のデータベースを利用したり、或いは、必要に応じてデータを再入力する等を実行し、シーケンス情報テーブル（ＳＩＴ）１１４に記述される。
【０１６５】
図３４は、上述のようにフォーマットされたファイル７６、７８を光ディスクへ記録するためのディスクフォーマッタのシステムを示している。図３４に示すようにディスクフォーマッタシステムでは、作成された情報ファイル７６及びムービファイル等のファイル７８が格納されたメモリ２３０、２３２からこれらファイルデータがボリュームフォーマッタ（ＶＦＭＴ）２３６に供給される。ボリュームフォーマッタ（ＶＦＭＴ）２３６では、ファイル７６、７８に加えて更にディスクのボリューム情報７４が図６に示す配列順序で加えられてディスク１０に記録されるべき状態の論理データが作成される。ボリュームフォーマッタ（ＶＦＭＴ）２３６で作成された論理データにエラー訂正用のデータがディスクフォーマッタ（ＤＦＭＴ）２３８において付加され、ディスクへ記録する物理データに再変換される。変調器（Modulater ）２４０において、ディスクフォーマッタ（ＤＦＭＴ）２３８で作成された物理データが実際にディスクへ記録する記録データに変換され、この変調処理された記録データが記録器(Recoder) ２４２によってディスク１０に記録される。
【０１６６】
上述したディスクを作成するための標準的なフローチャートを図３５及び図３６を参照して説明する。図３５には、ディスク１０に記録するための論理データが作成されるフローチャートが示されている。即ち、ステップＳ８０で示すように映像データファイルの数、並べ順、各映像データファイル大きさ等のパラメータデータが始めに設定される。次に、ステップＳ８１で示すように設定されたパラメータと各映像データファイルのファイル管理情報からボリューム情報が作成される。その後、ステップＳ８２に示すようにボリューム情報、映像データファイルの順にデータが該当する論理ブロック番号に沿って配置され、ディスク１０に記録するための論理データが作成される。
【０１６７】
その後、図３６に示すようなディスクへ記録するための物理データを作成するフローチャートが実行される。即ち、ステップＳ８３で示すように論理データが一定バイト数に分割され、エラー訂正用のデータが生成される。次にステップＳ８４で示すように一定バイト数に分割した論理データと、生成されたエラー訂正用のデータが合わされて物理セクタが作成される。その後、ステップＳ８５で示すように物理セクタを合わせて物理データが作成される。
【０１６８】
このように図３６に示されたフローチャートで生成された物理データに対し、一定規則に基づいた変調処理が実行されて記録データが作成される。その後、この記録データがディスク１０に記録される。
【０１６９】
図３３を参照して説明したエンコードされた主映像データ、オーディオデータ及び副映像データ（Comp Video, Comp Audio, Comp Sub-pict ）が組み合わされて映像データのファイル構造に変換されるフローチャートにおいて、１つ以上のシーケンスを作成する過程で、シーケンス情報とセル再生順序を作成する過程についてより詳細に図３７から図４０を参照して説明する。図３７及び図３８には、映像セル１０５に関するセル情報（ＣＩ）とシーケンス１０６に関するシーケンス情報（ＳＩ）との関係が示されている。尚、図３７及び図３８は、両者を該当箇所で接合して１枚の図面となるように描かれている。また、図４０は、図３７及び図３８で示されるシーケンス情報とセル再生順序でシーケンスを作成する過程を示したフローチャートである。
【０１７０】
図３７及び図３８において、シーケンス（Ｓｅｑ−ｎ）を作成する場合について考える。パソコンやワークステーション等を利用して、ハードディスク上やメモリ上に、図４０のステップＳ９０で示されるように映像データを目的に応じて必要な大きさの単位に分割した映像セルが複数個用意される。ステップＳ９２で示されるようにこの用意された各映像セルのサイズ（Ｓｎａ）、再生時間（Ｔｎａ）、内容等を示す種別（Ｃｎａ）及び対応する言語コード（Ｌｎａ）等の情報がセル情報（Ｃｌ）とし取得される。ステップＳ９３に示すように各セル情報（ＣＩ）が記述順にテーブルとしてまとめられ、セル情報テーブル（ＣＩＴ）が作成される。このように作成されセル情報テーブル（ＣＩＴ）から、ステップＳ９４に示すようにシーケンス（Ｓｅｑ−ｎを）構成するセル番号（＃ｎ，＃ｎ＋１，＃ｎ＋２）が取り出され、そのシーケンスを構成するシーケンス構成セル数が決定される。また、構成セルの合計時間（Ｔｎａ＋Ｔｎｂ＋Ｔｎｃ）より、シーケンス再生時間が求められる。ステップＳ９５に示すようにシーケンス構成セル数からシーケンスの再生順序を決定するセル再生順序リストへ再生順に＃１からセル情報テーブル（ＣＩ）記述順のセル番号が格納され、図３９（Ａ）から（Ｄ）に示すようにセル再生順序リストが作成される。上述したシーケンス構成セル数、シーケンス再生時間、セル再生順序リスト等の情報をまとめてシーケンス情報（ＳＩ）＃ｎが構成される。次に、ステップＳ９６に示すように同様にして次のシーケンスが作成される。
【０１７１】
作成するシーケンスが無くなると、ステップＳ９７に示すように全部のシーケンス情報（ＳＩ）が記述順に＃１から番号を割り当てられ、シーケンス情報テーブル（ＳＩＴ）に格納され、シーケンスの作成が終了される。
【０１７２】
最後に、シーケンスの総数、シーケンス情報テーブルの開始位置、各シーケンス情報の開始位置、セル情報テーブルの開始位置等をファイル管理テーブルの所定の場所へ格納して、ファイルが構成される。
【０１７３】
上述した実施例においては、記録媒体として高密度記録タイプの光ディスクについて説明したが、この発明は、光ディスク以外の他の記憶媒体、例えば、磁気ディスク或いはその他の物理的に高密記録可能な記憶媒体等にも適用することができる。
【０１７４】
【発明の効果】
以上詳述したようにこの発明によれば、記録媒体に記録されたスクイーズ画面を、従来の３：４サイズのテレビモニタで見る場合に、縦横の画面比に歪みの発生しないレターボックス画面またはパンスキャン画面に変換して再生する機能を有し、それらの中から好みの表示モードをユーザが自由に選択でき、さらに、作成者の意図を反映して表示モードを制限した状態で、表示モードの切換えを行うことができる再生装置とその再生方法を提供できる。
【０１７５】
また、表示モードの切換えを行う必要がなく、接続されている表示装置の形状によって自動的に最適な表示モードで再生することができる再生装置とその再生方法を提供できる。
【図面の簡単な説明】
【図１】この発明の一実施例を説明するための光ディスク再生装置の概略構成を示すブロック図。
【図２】ディスクドライブ部の構成を説明するための図。
【図３】光ディスクの構成を説明するための斜視図。
【図４】キー操作部および表示部の構成を説明するための図。
【図５】リモートコントロールの構成を説明するための平面図。
【図６】光ディスクのボリューム構造を説明するための図。
【図７】ディスク情報ファイルの構成を説明するための図。
【図８】映像ファイルの構成を説明するための図。
【図９】ファイルに記憶される画像データの階層構造を説明するための図。
【図１０】図９に示された映像セルを構成する１ＧＯＰを示す説明図である。
【図１１】セル情報テーブルに格納されるセル情報の内容を説明するための図。
【図１２】シーケンス情報テーブルに格納される１つのシーケンス情報の内容を説明するための図。
【図１３】ファイル管理テーブルに記録されているパラメータを説明するための図。
【図１４】ビデオデータ属性を説明するための図。
【図１５】オーディオデータ属性を説明するための図。
【図１６】副映像データ属性を説明するための図。
【図１７】ビデオデコーダ部の概略構成を示すブロック図。
【図１８】オーディオデコーダ部の概略構成を示すブロック図。
【図１９】副映像デコーダ部の概略構成を示すブロック図。
【図２０】ビデオ再生処理部の概略構成を示すブロック図。
【図２１】オーディオ再生処理部の概略構成を示すブロック図。
【図２２】オーディオミキシング部の概略構成を示すブロック図。
【図２３】ビデオデータ属性の取得／設定処理を説明するためのフローチャート。
【図２４】アスペクト比９：１６のビデオデータを３：４の画角のテレビで再生可能な画像モードの表示例を示す図。
【図２５】アスペクト比９：１６のビデオデータを９：１６の画角のテレビで再生可能な画像モードの表示例を示す図。
【図２６】光ディスク再生装置のリアーパネルの構成を説明するための図。
【図２７】ビデオデータ属性の取得／設定処理を説明するためのフローチャート。
【図２８】アスペクト比９：１６のビデオデータを３：４の画角のテレビで再生可能な画像モードの表示例とアスペクト比９：１６のビデオデータを９：１６の画角のテレビで再生可能な画像モードの表示例を示す図。
【図２９】オーディオデータ属性の取得／設定処理を説明するためのフローチャート。
【図３０】副映像データ属性の取得／設定処理を説明するためのフローチャート。
【図３１】映像データをエンコーダして映像ファイルを生成するエンコーダシステムを示すブロック図である。
【図３２】図３１に示されるエンコード処理を示すフローチャートである。
【図３３】図３２に示すフローでエンコードされた主映像データ、オーディオデータ及び副映像データを組み合わせて映像データのファイルを作成するフローチャートである。
【図３４】フォーマットされた映像ファイルを光ディスクへ記録するためのディスクフォーマッタのシステムを示すブロック図である。
【図３５】図３４に示されるディスクフォーマッタにおけるディスクに記録するための論理データを作成するフローチャートである。
【図３６】論理データからディスクへ記録するための物理データを作成するフローチャートである。
【図３７】セル情報とシーケンス情報との関係を示す説明図である。
【図３８】同様にセル情報とシーケンス情報との関係を示す説明図である。
【図３９】同様にセル情報とシーケンス情報との関係を示す説明図である。
【図４０】セル情報とシーケンス情報とを作成する過程を説明するフローチャートである。
【符号の説明】
４…キー操作部及び表示部
５…リモートコントロール
５ｎ…シェイプキー
６…モニタ部
８…スピーカ部
１０…光ディスク
３０…ディスクドライブ部
５０…システムＣＰＵ部
５２…システム用ＲＯＭ及びＲＡＭ
５４…システムプロセッサ部
５６…データＲＡＭ部
５８…ビデオデコーダ部
６０…オーディオデコーダ部
６２…副映像デコーダ部
６４…Ｄ／Ａ＆再生処理部
２０１…ビデオ再生処理部
２０２…オーディオ再生処理部
２０３…オーディオミキシング部
２０７…副映像再生処理部
【図１】
0003665390.tif 000002
【図２】
0003665390.tif 000003
【図３】
0003665390.tif 000004
【図４】
0003665390.tif 000005
【図５】
0003665390.tif 000006
【図６】
0003665390.tif 000007
【図７】
0003665390.tif 000008
【図８】
0003665390.tif 000009
【図９】
0003665390.tif 000010
【図１０】
0003665390.tif 000011
【図１１】
0003665390.tif 000012
【図１２】
0003665390.tif 000013
【図１３】
0003665390.tif 000014
【図１４】
0003665390.tif 000015
【図１５】
0003665390.tif 000016
【図１６】
0003665390.tif 000017
【図１７】
0003665390.tif 000018
【図１８】
0003665390.tif 000019
【図１９】
0003665390.tif 000020
【図２０】
0003665390.tif 000021
【図２１】
0003665390.tif 000022
【図２２】
0003665390.tif 000023
【図２３】
0003665390.tif 000024
【図２４】
0003665390.tif 000025
【図２５】
0003665390.tif 000026
【図２６】
0003665390.tif 000027
【図２７】
0003665390.tif 000028
【図２８】
0003665390.tif 000029
【図２９】
0003665390.tif 000030
【図３０】
0003665390.tif 000031
【図３１】
0003665390.tif 000032
【図３２】
0003665390.tif 000033
【図３３】
0003665390.tif 000034
【図３４】
0003665390.tif 000035
【図３５】
0003665390.tif 000036
【図３６】
0003665390.tif 000037
【図３７】
0003665390.tif 000038
【図３８】
0003665390.tif 000039
【図３９】
0003665390.tif 000040
【図４０】
0003665390.tif 000041